(57)【特許請求の範囲】
【請求項１】
箱体と、この箱体内に収納された冷凍サイクルと、透明若しくは半透明の樹脂材料で成形され、除湿水を貯水する水受容器と、この水受容器を収納する前記箱体に設けられ水受容器に貯溜された除湿水の水位を確認する水位確認窓を備えた電気除湿機において、前記水位確認窓を連続排水用の排水ホースを導出する為の導出孔と兼用し、上記排水ホースを蛇腹状とすると共に水位確認窓の幅を蛇腹状の排水ホースの山径と谷径の中間の寸法に設定した電気除湿機。
【請求項２】
箱体内に、圧縮機、凝縮器、蒸発器を有する冷凍サイクルと、この蒸発器で凝縮した除湿水を受ける露受皿と、除湿水を貯水する水受容器とを備えた電気除湿機において、前記水受容器の装着位置を規定する弾性体を露受皿の下面部もしくはベースの上面部に複数設け、この弾性体の間隔を上記水受容器の幅寸法より小さくした電気除湿機。
【請求項３】
請求項２において、前記弾性体は長さ寸法を幅寸法より大きくして弾性体の支点と作用点の距離を長くした電気除湿機。
【発明の詳細な説明】
【０００１】
【発明の属する技術分野】
本発明は、室内の自由な場所に移動して使用できる電気除湿機に係わり、特に除湿水の処理に関するものである。
【０００２】
【従来の技術】
電気除湿機は、箱体の内部に圧縮機、凝縮器、蒸発器等を冷媒配管で接続し、送風機で室内空気の露点温度より低温の蒸発器を通して室内空気を吸い込み、その際、室内空気中の水分を蒸発器の表面で結露させて除湿し、次に、除湿されて温度の低くなった室内空気を蒸発器に対向して配置されている凝縮器を通して加熱し、ほぼ室温にまで暖めて湿気の少ない乾燥した空気として室内に吹き出し、これを繰り返すことにより室内の湿度を下げてゆくものである。
【０００３】
蒸発器で凝縮した除湿水は蒸発器の表面を伝わって流れ下り、一旦、露受皿で集められ、露受皿の排水口を通して水受容器に滴下して水受容器に貯められる。水受容器に貯められた除湿水が規定の貯水量になった時に、水受容器に取り付けた水位を検知するフロートの作動により満水スイッチを作動させて満水ランプを点灯させ、満水状態を知らせるとともに電気除湿機の運転を停止させている。水受容器が満水になったことを知った使用者は、水受容器を電気除湿機から引き出して内部の水を廃棄し、空になった水受容器を再び電気除湿機に挿入して、運転を再開させることになる。
【０００４】
満水になった水受容器を電気除湿機から引き出し、内部の水を廃棄するため流し場等まで運搬する際に、水受容器内の水面が歩く歩調に合わせて波立ち、時には水受容器から飛び散って室内を濡らすことがあった。これを防止する方法としては、水受容器の形状を袋状にして除湿水の出入り口を小さくし、除湿水が出入り口から飛び散り難くしたり、深さを深くして除湿水の開放表面積を小さくし、運搬する際に水面の波立ちを起き難くしたり、特開２０００−２８１５９号公報（従来技術１）に開示されているように落し蓋を使用して波立ちを抑制する方法等があった。
【０００５】
すなわち従来技術１では図１２、１３のように、電気除湿機３１の水受容器３２内に柔軟性のある樹脂材料で形成した落し蓋３３を設け、水受容器３２内の水面の波立ちを柔軟性のある落し蓋３３で抑制し、運搬中に水受容器３２から除湿水が飛び出すこと防止している。
【０００６】
しかしこの場合には、水受容器３２の他に柔軟性のある樹脂材料で作った波立ち防止用の落し蓋３３を必要とし、部品点数が増えるばかりでなく、水受容器３２内の水を廃棄する時に水受容器３２内の落し蓋３３が一緒に落ちないような落下防止用の突起３２ａを設ける必要がある。水受容器３２の内側に突起３２ａを設けることは水受容器３２の成形型が複雑になり、成形型代、部品単価のコストアップになるとともに、成形性を悪くしていた。
【０００７】
また、水受容器３２内は除湿水を貯水するため汚れ易く、時々内部を掃除しなければならない。しかし、落し蓋の落下防止用の突起３２ａが設けてあるので、水受容器内の汚れを掃除する際には、突起３２ａを避けて内部の落し蓋３３を外し、水を廃棄して掃除し、再び落し蓋３３を挿入しなければならず使い勝手の悪いものになっていた。
【０００８】
そして、水受容器が満水になる度に水受容器を引き出して内部の水を空け、再び水受容器を電気除湿機に挿入して、運転を再開させるのは面倒なため、露受皿で集めた除湿水を水受容器に滴下させずに、露受皿の排水口に排水ホースを直接接続して、連続的に排水を行なう方法を選択できる電気除湿機もある。その公知例として特開２０００−２４０９７５号公報（従来技術２）が開示されている。
【０００９】
すなわち図１４、１５、１６のように、通常は電気除湿機４１の規定位置まで水受容器４２を挿入して、滴下防止弁４３を水受容器４２の側壁部で押し開いて、除湿水を水受容器４２に貯水している。連続排水を行なう場合には、図１６のように水受容器４２を挿入せずに箱体の側面に連続排水のために設けたホース取出し穴４４に排水ホース４５を挿入し、滴下防止弁４３を排水ホース４５で強制的に押し上げ、露受皿の排水口４６に排水ホース４５を接続することにより連続排水を行なっている。
【００１０】
また、水受容器の出し入れ方法についても、従来技術２では水受容器を平行移動して出し入れする方法を採用しているが、特開平１０−２２０８０６号公報（従来技術３）の場合には、図１７、１８に示すように、水受容器５２の底面に設けた突起５２ａを電気除湿機５１のベース５３に設けた凹部５３ａに一致させて水受容器５２を回転させて、水受容器５２の取り付け、取り外し操作を行なっている。
【００１１】
そして、それぞれの方式に対して、水受容器の装着位置を確実に規定するため、図１５では水受容器４２の端面に設けた突起４２ａを電気除湿機４１の本体から突出した弾性体４７で保持することにより、規定の装着位置になったときにクリック感を持たせて、水受容器４２の装着位置が手の感覚で分かるようにしている。図１７、１８では電気除湿機５１のベース５３に水受容器５２の突起５２ａを受ける凹部５３ａを設け、その周囲にコの字状の切り込み５３ｂを設けて弾性体としている。
【００１２】
水受容器５２の突起５２ａをベース５３の凹部５３ａに装着して、水受容器５２を回転させることにより、規定の位置に水受容器５２を装着させるものである。そして、規定の装着位置の少し手前に水受容器５２の回転半径寸法より僅かに小さな寸法間隔を突起（図示せず）等で設定し、この寸法間隔を水受容器５２が通過する際に、凹部５３ａの周囲に入れたコの字状の切込み５３ｂを弾性変形させることにより発生するクリック感で、水受容器５２の規定の装着位置が手の感覚で分かるようにしている。
【００１３】
【発明が解決しようとする課題】
先に説明したように、従来技術１では水受容器内に柔軟性のある樹脂材料で形成した落し蓋を設け、水受容器内の水面の波立ちを柔軟性のある落し蓋で抑制し、運搬中に水受容器から除湿水が飛び散ること防止している。
【００１４】
しかし、この場合には、水受容器の他に波立ち防止用の柔軟性のある樹脂材料で作った落し蓋を必要とし、部品点数が増えるばかりでなく、水受容器の水を廃棄する時に水受容器内の落し蓋が一緒に落ちないような突起を設ける必要があり、水受容器の内側に突起を設けることは水受容器の成形型が複雑になり、成形型代、部品単価のコストアップになるとともに、成形性を悪くしていた。
【００１５】
また、水受容器内は除湿水を貯水するため汚れ易く、時々内部を掃除しなければならない。しかし、落し蓋の落下防止用の突起が設けてあるので、水受容器内の汚れを掃除する際には、突起を避けて内部の落し蓋を外し、水を廃棄して掃除し、再び落し蓋を挿入しなければならず使い勝手の悪いものになっていた。
【００１６】
水受容器の出し入れ方法も、従来技術２のように水受容器を平行移動して出し入れする方法や、従来技術３のように水受容器の底面に設けた突起を電気除湿機のベース底面設けた凹部に一致させて水受容器を回転させ、水受容器の取り付け、取り外す方法等がある。そして、それぞれの水受容器の出し入れ方式に対して、水受容器の装着位置を確実に規定するため、水受容器の端面に設けた突起等を弾性体で保持することにより、使用者に対して水受容器が規定の装着位置になったことを手に伝わるクリック感で知らせ、水受容器を規定の装着位置にまで確実に挿入させている。
【００１７】
しかし、従来技術２では弾性体突起の突起寸法が短く、突起寸法が小さいため作用点である先端部の変形量を大きくすることができず、水受容器と幅寸法の余裕度が少なくなり、水受容器の製作誤差や組立て誤差を吸収することができ難かった。したがって、水受容器を挿入する際に弾性体突起の先端に水受容器を突き当ててしまうことがあり、水受容器をスムーズに挿入することが困難であった。また、弾性体突起の突起寸法が短かく、弾性変形量が少ないため、手に伝わるクリック感が硬くなり、柔らかな操作性を得ることが難しかった。
【００１８】
従来技術３では、水受容器の底面に設けた突起を電気除湿機底面の凹部に一致させて水受容器を回転させ、水受容器の取り付け、取り外しを行なっているが、水受容器の底面に設けた突起を電気除湿機底面の凹部に一致させる際に、突起と凹部の嵌まり具合を直接目で確認することができずに手の感覚や感に頼ることになり、操作性の悪いものであった。
【００１９】
そして、水受容器の装着位置を確実に規定するために、水受容器の回転半径より僅かに小さく設定した電気除湿機底面の凹部と電気除湿機本体に設けた突起（図示せず）との間隔寸法を水受容器が通過する際に、凹部の周囲に入れたコの字状の切り込みの弾性力でクリック感を与えて、水受容器の装着位置を規定している。
【００２０】
しかし、この場合にもクリック感を与えるための弾性体としては、水受容器を受ける電気除湿機底面の凹部の周囲に設けたコの字状の切り込みの弾性力だけで対応するため、弾性体を充分に大きくすることができず、弾性変形による余裕度が少なく、水受容器の製作誤差や組立て誤差を吸収することができず、軟らかなクリック感を与えることが難しかった。
【００２１】
そして、水受容器に貯まった除湿水をその度に人手で捨てに行くのは面倒なため、水受容器を使用せずに連続排水を行なう方法が従来技術２で示されている。この場合には、箱体の側面に連続排水用の排水ホースを取出すホース取出し穴を特別に設けて、排水ホースをそのホース取出し穴に挿入して、露受皿の排水口に排水ホースを接続することにより連続排水を行なっていた。
【００２２】
この場合には、箱体の側面に余分なホース取出し穴を特別に設ける必要があり、水受容器を電気除湿機本体に装着しないで使用するため、水受容器装着部から電気除湿機本体の内部が見えることになり、外観上あまり芳しいものではなかった。
【００２３】
また、従来、低温側の冷媒配管の表面が室内空気の露点温度以下に冷えるため、結露防止用として巻き付けていた。このため断熱材にかかるコストや、組立作業に余計な時間が費やされていた。
【００２５】
本発明の第１の目的は、液化した水を排水処理するためホースにて行う場合、特別にホース穴を設ける必要がない電気除湿機を提供することにある。
【００２７】
本発明の第２の目的は、水受容器を本体に装着する際、装着が行われたことを利用者に確実に報知する電気除湿機を提供することにある。
【００２９】
【課題を解決するための手段】
上記第１の目的は、箱体と、この箱体内に収納された冷凍サイクルと、透明若しくは半透明の樹脂材料で成形され、除湿水を貯水する水受容器と、この水受容器を収納する前記箱体に設けられ水受容器に貯溜された除湿水の水位を確認する水位確認窓を備えた電気除湿機において、前記水位確認窓を連続排水用の排水ホースを導出する為の導出孔と兼用し、上記排水ホースを蛇腹状とすると共に水位確認窓の幅を蛇腹状の排水ホースの山径と谷径の中間の寸法に設定することで達成される。
【００３１】
上記第２の目的は、箱体内に、圧縮機、凝縮器、蒸発器を有する冷凍サイクルと、この蒸発器で凝縮した除湿水を受ける露受皿と、除湿水を貯水する水受容器とを備えた電気除湿機において、前記水受容器の装着位置を規定する弾性体を露受皿の下面部もしくはベースの上面部に複数設け、この弾性体の間隔を上記水受容器の幅寸法より小さくすることによって達成される。
【００３２】
【発明の実施の形態】
以下、本発明の詳細について実施例をもとに図により説明する。
【００３３】
図１は本発明の実施例による電気除湿機の外観図、図２は本発明の実施例による水受容器の外観図、図３は水受容器を引き出す状態説明図、図４は水受容器を挿入する状態説明図、図５は水受容器の平面図、図６は水受容器用のＡ−Ａ断面図である。
【００３４】
図１において、１は本発明を組み込んだ一実施例の電気除湿機、２は箱体で箱体２ａ、箱体２ｂに分割されている。３は室内の自由な位置に電気除湿機１を移動するために運搬する把手、４は除湿して乾燥した空気を吹き出す吹出し口、５は吹出し空気の流れを偏向するフラップ、６は運転スイッチ、７は運転スイッチの操作板を兼ねた箱体２ａ、２ｂを固定する飾り板、８は水受容器、９は水位確認窓である。
【００３５】
箱体２の内部には図７、図８に示すように圧縮機１０、凝縮器１１、蒸発器１２が組み込まれていて、それぞれの機器が高温側冷媒配管１３、低温側冷媒配管１４で接続されて冷凍サイクルを構成している。また、箱体２内の上部には蒸発器１２と凝縮器１１が相対するように配置され、凝縮器１１の後部には送風機１５が配置されている。蒸発器１２と凝縮器１１の上部には電気品等が配置され、蒸発器１２と凝縮器１１の下部には露受皿１６が設けられている。露受皿１６の下側、すなわち、箱体２内の下半分の空間には圧縮機１０と水受容器８が配置されている。蒸発器１２と凝縮器１１の下部に設けられた露受皿１６は蒸発器１２に結露した除湿水を受けるとともに、送風機１５が吸い込み、そして吐き出す電気除湿機１の室内空気の風路を形成している。
【００３６】
従来の電気除湿機では主に、室内空気が通過する蒸発器のフィン群で空気中の水分を結露させ、蒸発器に接続する低温側冷媒配管の表面に結露する水分は電気除湿機の内部を濡らす厄介なものとして扱い、低温側冷媒配管の表面に余分な水分が結露しないように断熱材等で被って処置していた。
【００３７】
しかし、本実施例の電気除湿機１では露受皿１６を蒸発器１２に接続する低温側冷媒配管１４の下側まで延出させて、低温側冷媒配管１４の表面に結露した水分を露受皿１６で受け止めるようにし、低温側冷媒配管１４も蒸発器１２の一部として機能させ、除湿能力の向上に役立たせている。これにより本実施例では、除湿能力を約２％向上させることができている。また、低温側冷媒配管１４の表面を断熱材等で被う必要がないので、組み立て時間を短縮することができ、組立て作業性を向上させている。
【００３８】
電気除湿機１は運転スイッチ６をオンにするだけで運転することができ、これにより冷凍サイクルおよび送風機１５が運転して箱体２ｂに設けられた吸込み口（図示せず）から室内空気を吸い込み、吸い込まれた室内空気は露点温度以下に冷却されている蒸発器１２の表面で冷却され、室内空気が水蒸気として含んでいる水分は蒸発器１２の表面で結露することにより取り除かれる。次いで、水分を取り除かれた室内空気は蒸発器１２に対向して配置されている凝縮器１１を通過する際に、今度は室内温度近くまでに加熱されて温められ、水分の少ない乾燥した空気として吹出し口４から再び室内に吹き出されてくる。
【００３９】
吹出し口４から吹き出してくる除湿されて乾燥した空気はフラップ５により吹出し方向を変えることができるようになっている。これにより、雨降りの日に洗濯物を室内や浴室等で乾燥させる場合でも、除湿されて乾燥した空気を直接洗濯物に吹き付けることにより、乾燥時間を短縮する使い方が可能になる。
【００４０】
蒸発器１２の表面で結露した除湿水は蒸発器１２の表面を流れ降りてきて露受皿１６に一旦集められ、露受皿１６の排水口１６ｂから水受容器８に滴下してゆく。
【００４１】
水受容器８には満水時の水位を検知するフロート８ａおよびスイッチレバー８ｂが回転軸８ｃを対称軸にして設けられていて、除湿水が満水になるとフロート８ａが回転軸８ｃを支点に回動して押し上げられると、回転軸８ｃの反対側に設けられているスイッチレバー８ｂが下げられことになり、スイッチレバー８ｂが下がったことにより満水スイッチ（図示せず）が作動して満水表示ランプ１７を点灯させて、水受容器８が満水状態にあることを知らせるとともに、電気除湿機１の供給電源を遮断して電気除湿機１の運転を停止させるようになている。
【００４２】
水受容器８が満水で停止した電気除湿機１は、図３のように水受容器８を電気除湿機１から引き出し、水受容器８内の除湿水を流し場等で廃棄して、空になった水受容器８を図４のように電気除湿機１に再び装着することにより、電気除湿機１の運転を自動的に再開することができる。
【００４３】
満水になった水受容器８の除湿水を空けるため流し場まで移動する際に、歩く歩調に合わせて水受容器８内の除湿水が波立ち、場合によっては水受容器８から除湿水が飛び散って、室内の床面を濡らすことがあった。従来技術１ではこれを防ぐため柔軟性のある樹脂材料で形成した落し蓋を設け、水受容器内の水面の波立ちを抑制し、運搬中に水受容器から除湿水が飛び出すこと防止していた。
【００４４】
しかし、この場合には、水受容器の他に柔軟性のある樹脂材料で作った波立ち防止用の落し蓋を必要とし、部品点数が増えるばかりでなく、水受容器の水を廃棄する時に水受容器内の落し蓋が一緒に落ちないように水受容器の内部に突起を設ける必要があった。水受容器の内側に突起を設けることは水受容器の成形型が複雑になり、成形型代、部品単価のコストアップに繋がるとともに、成形性を悪くしていた。
【００４５】
また、水受容器を袋状に成形し、除湿水の出入り口を小さくすることにより、除湿水の飛び出しを防止する方法も考えられるが、この場合には成形方法がブロー成形に限定されるので、正確な寸法形状を得ることが難しく、小形でコンパクトに部品を配置する室内用の電気除湿機には不向きであった。
【００４６】
本実施例では図２、５、６のように水受容器８の内部に側壁から複数のリブ１８を延出し、一側壁から延出したリブ１８の先端部が、対向する側壁から延出したリブ１８の先端部と、空間を介して重複するように設けている。水受容器８の内部で対向する側壁から延出するリブ１８同士の先端部が底面部でそれぞれの距離を介して重複しているので、水受容器８内の除湿水が図５の破線矢印方向に流れようとしても、リブ１８で除湿水の流れが遮られて簡単に移動することができなくなる。これにより、満水状態になった水受容器８を持って流し場まで運搬しても、足の歩調に合わせて水受容器８内の除湿水の水面が波立つことがなくなり、したがって水受容器８から飛び散ることもない。
【００４７】
しかも、リブ１８は図６に示すように、水受容器８の高さおよび幅の約８０％近い寸法を占めているので、水受容器８の寸法形状を維持する補強リブを兼ねることになり、樹脂で水受容器８を成形の際の歪みや変形が少なく、寸法精度の高い水受容器８を製作することができる。寸法精度が高いと云うことは、後で説明するように水受容器８の装着位置を正確に決めることができるようになる。しかも従来技術１のように落し蓋の落下防止用の突起を内部に突出させる必要がないので成形型が簡単になり、型の製作費を安価にすることができ、また、成形性が良くなることにより歩留まりが向上し、部品コストを下げることができる。
【００４８】
また、水受容器内は除湿水を貯水するため汚れ易く、時々内部を掃除しなければならない。しかし、従来技術１の場合には、落し蓋の落下防止用の突起が設けてあるので、水受容器内の汚れを掃除する際には、突起を避けて内部の落し蓋を外し、水を廃棄して掃除し、再び落し蓋を挿入しなければならず使い勝手の悪いものになっていた。
【００４９】
なお、本実施例ではリブの形状を３角形に近い形状にしているが、必ずしも３角形にする必要はなく、リブの先端部で水受容器内の除湿水の移動を抑制できれば良く、先端部を少し立ち上げた台形状にしても同様の効果を得ることは可能である。
【００５０】
本実施例の水受容器８はリブ１８で内部が仕切られているが、水受容器８の内部に突起物がないので、上部の開口部から手を入れて水受容器８の内部を簡単に掃除することができる。内部の水位検知用のフロート８ａおよびスイッチレバー８ｂは回転軸８ｃと一体になっているので、場合によっては、回転軸８ｃを撓めることによりフロート８ａおよびスイッチレバー８ｂを簡単に外すことができるので、フロート８ａおよびスイッチレバー８ｂを外して掃除しても良い。
【００５１】
本実施例の水受容器８の装着方法は図６示すように、ベース１９に設けた凸状の２本のガイド１９ａに水受容器８底部の凹部８ｄを組み合わせてスライドさせる平行移動方式を採用している。ベース１９のガイド１９ａと水受容器８底部の凹部８ｄを組み合わせることにより水受容器８の左右方向の位置が決められ、後は図３、４のように前後方向にスライドさせるだけなので、水受容器８の出し入れ操作性が簡単である。
【００５２】
また、水受容器８が規定の位置に確実に装着されたことを手の感覚で知らせる機構は図５、６のようになっている。すなわち、通風路の仕切り板を兼ねる露受皿１６の下部から突出した断面がくの字状をした弾性体１６ａと水受容器８の側面に設けた突起８ｅとで行なっている。弾性体１６ａは図６に示すように露受皿１６の下部から長いスパンを持って突出させることができるので、突起８ｅと当接する位置の変位量を大きくすることができ、変位量を大きくすることにより、突起８ｅが弾性体１６ａを通過する際のクリック感を柔らかくすることができる。
【００５３】
弾性体１６ａは箱体２ａ、２ｂと水受容器８の間の空間に設けているので空間に余裕があり、くの字状の断面をした腕の先端と水受容器８の側壁の距離Ｂに余裕をもたせることが容易である。これにより、ベース１９のガイド１９ａと水受容器８底部の凹部８ｄ間の隙間による水受容器８の左右の遊び寸法や成形誤差、組立て誤差による寸法差等を容易に吸収することができるので、水受容器８の出し入れ操作性を向上させることができる。
【００５４】
なお、本実施例では弾性体１６ａを露受皿１６の下部から突出させているが、必ずしも露受皿１６の下部から突出させる必要はない。ベース１９から水受容器８の側面に沿って上部に向って突出させても、同様の効果を得ることが可能である。
【００５５】
本実施例では水受容器８を半透明の樹脂材料で成形しているので、水受容器８に貯まった除湿水の水量を水受容器８の側壁を通して確認することができる。しかし、使い勝手によっては電気除湿機１の正面をいつも目に見える方に設置するとは限らない。本実施例の電気除湿機１は上から見ると長方形をしていて、乾燥した空気の吹出し口４が箱体２ａ側に設けられているので、吸込み口のある箱体２ｂ側を壁側にして設置されることが多い。そのため箱体２ａ側にも水位確認窓９を設けて水受容器８の水位を確認できるようにしている。
【００５６】
そして図９のように、この水位確認窓９に連続排水用の蛇腹状の排水ホース２０を通し、露受皿１６の排水口１６ｂに接続した排水エルボ２１に排水ホース２０の先端を接続することにより、連続排水ができるようになっている。なお、水位確認窓９の幅は蛇腹状の排水ホース２０の山径と谷径の中間の寸法に設定しているので、水位確認窓９に挿入する時には排水ホース２０を若干潰すようにして挿入する。
【００５７】
これにより、水位確認窓９の端面が排水ホース２０の山径と谷径の間に納まって抜け止め防止の役目を果たすことになり、万が一、排水ホース２０が引っ張られた時でも、水位確認窓９の端面が排水ホース２０の山径部を保持するので排水ホース２０が抜け落ちることがない。したがって、排水ホース２０が抜けて電気除湿機１の内部を除湿水で濡らしたり、室内の床面を除湿水で濡らすことがなく安全である。
【００５８】
なお、排水ホース２０による連続排水の場合には、水受容器を挿入した時に排水ホース２０があたらないように先端部をカットした水受容器２２を水受容器８に代わって使用している。水受容器２２を使用することにより、万が一、排水ホース２０が詰まって水受皿１６に除湿水が貯まった場合でも、水受皿１６のオーバーフロー口（図示せず）から滴下して電気除湿機１内や室内を濡らさないようになっている。また、連続排水の場合にも水受容器２２を挿入することにより、水受容器２２の挿入口から電気除湿機１の内部が見えることなく、外観意匠を向上させることができる。
【００５９】
以上説明したように、本実施例によれば次の効果が期待される。
１．電気除湿機の水受容器内に複数のリブを設け、水受容器内の底面部でリブ同士の先端部が重複するようにしているので、満水になった水受容器の水を廃棄するために運搬する際に、歩く歩調に合わせて水受容器内の除湿水が移動して波立つことがなく、水受容器から飛び出すこともないので安心して運搬することができる。
２．露受皿を蒸発器に接続する低温側冷媒配管の下側まで延出して、低温側冷媒配管の表面に結露した除湿水を回収できるようにしたので、低温側冷媒配管の表面を結露防止の断熱材で被う必要がなくなり、組立作業が簡単になるとともに、低温側冷媒配管の表面も蒸発器と同様の除湿手段として有効に活用し除湿能力を向上させることができた。
３．箱体の側面に設けた水位確認窓を通して連続排水用の排水ホースを接続することにより、連続排水が可能になる。また、水位確認窓の幅を蛇腹状排水ホースの山径と谷径の間の寸法に設定しているので、万が一、排水ホースを引っ張られた時にも排水ホースが水位確認窓で保持されて、排水エルボから抜けるのを抑制できるので安全である。
４．水受容器の装着位置を規定する弾性体を露受皿の下面部もしくはベースの上面部に複数設け、この弾性体の間隔を上記水受容器の幅寸法より小さくしたことにより、クリック感を確保して、水受容器が規定の位置に確実に装着できるようにしている。
【００６１】
【発明の効果】
本発明によれば、液化した水を排水処理するためホースにて行う場合、特別にホース穴を設ける必要がない電気除湿機を提供することができる。
【００６３】
本発明によれば、水受容器を本体に装着する際、装着が行われたことを利用者に確実に報知する電気除湿機を提供することができる。
【図面の簡単な説明】
【図１】本発明の実施例による電気除湿機の外観図。
【図２】本発明の実施例による水受容器の外観図。
【図３】水受容器を引き出す状態説明図。
【図４】水受容器を挿入する状態説明図。
【図５】水受容器の平面図。
【図６】水受容器のＡ−Ａ断面図。
【図７】本発明の実施例による電気除湿機の内部上面図。
【図８】本発明の実施例による電気除湿機の内部正面図。
【図９】連続排水用の排水ホース。
【図１０】連続排水用の排水ホース接続用エルボ。
【図１１】連続排水用排水ホースの接続説明図。
【図１２】従来例による電気除湿機。
【図１３】従来例による水受容器の波立ち防止機構。
【図１４】従来例による電気除湿機。
【図１５】従来例による水受容器の装着位置決めクリック機構。
【図１６】従来例による連続排水機構の説明図。
【図１７】従来例による電気除湿機。
【図１８】従来例による水受容器の装着位置決め機構。
【符号の説明】
１…電気除湿機、２…箱体、３…把手、４…吹出し口、５…フラップ、６…運転スイッチ、７…飾り板、８…水受容器、９…水位確認窓、１０…圧縮機、１１…凝縮器、１２…蒸発器、１３…高温側冷媒配管、１４…低温側冷媒配管、１５…送風機、１６…露受皿、１７…満水表示ランプ、１８…リブ、１９…ベース、２０…排水ホース、２１…排水エルボ、２２…水受容器、３１…電気除湿機、３２…水受容器、３３…落し蓋、４１…電気除湿機、４２…水受容器、４３…滴下防止弁、４４…ホース取出し穴、４５…排水ホース、４６…露受皿の排水口、５１…電気除湿機、５２…水受容器、５３…ベース。
【図１】
0003893927.tif 000002
【図２】
0003893927.tif 000003
【図３】
0003893927.tif 000004
【図４】
0003893927.tif 000005
【図５】
0003893927.tif 000006
【図６】
0003893927.tif 000007
【図７】
0003893927.tif 000008
【図８】
0003893927.tif 000009
【図９】
0003893927.tif 000010
【図１０】
0003893927.tif 000011
【図１１】
0003893927.tif 000012
【図１２】
0003893927.tif 000013
【図１３】
0003893927.tif 000014
【図１４】
0003893927.tif 000015
【図１５】
0003893927.tif 000016
【図１６】
0003893927.tif 000017
【図１７】
0003893927.tif 000018
【図１８】
0003893927.tif 000019